(57)【要約】      （修正有）【課題】簡単な操作で常に計量した所定量の錠剤だけを取り出すことができる錠剤容器を提供する。【解決手段】錠剤容器は、上端が開口し、錠剤Ｔを収容する収容空間Ｖ１と該収容空間Ｖ１に連通して錠剤Ｔの計量を行う計量空間Ｖ２とを有する容器本体１２と、容器本体１２にスライド可能に保持されて収容空間Ｖ１および計量空間Ｖ２の上端開口をそれぞれ閉塞する一方、開方向へのスライド時に計量空間Ｖ２の上端開口を露出させて錠剤Ｔの取り出しを可能とする上蓋１４と、収容空間Ｖ１内に配置され、上蓋１４の開方向へのスライドに伴って変形し収容空間Ｖ１から計量空間Ｖ２への錠剤Ｔの進入を規制する進入規制部材２２と、を備えている。【選択図】図６
2019011114.tif 000002
【特許請求の範囲】
【請求項１】
上端が開口し、錠剤を収容する収容空間と該収容空間に連通して錠剤の計量を行う計量空間とを有する容器本体と、
前記容器本体にスライド可能に保持されて前記収容空間および前記計量空間の上端開口をそれぞれ閉塞する一方、開方向へのスライド時に前記計量空間の上端開口を露出させて錠剤の取り出しを可能とする上蓋と、
前記収容空間内に配置され、前記上蓋の前記開方向へのスライドに伴って変形し前記収容空間から前記計量空間への錠剤の進入を規制する進入規制部材と、を備えることを特徴とする錠剤容器。
【請求項２】
前記上蓋は、収容空間へ向けて垂下し、前記開方向へのスライドに伴って前記進入規制部材を変形させる作動ピンを有することを特徴とする、請求項１に記載の錠剤容器。
【請求項３】
前記進入規制部材は、前記作動ピンを介して前記上蓋を閉方向へ付勢する弾性体からなることを特徴とする、請求項２に記載の錠剤容器。
【請求項４】
前記進入規制部材は、前記容器本体と一体に成形されていることを特徴とする、請求項１から３までのいずれか一項に記載の錠剤容器。
【請求項５】
前記容器本体の底壁には、前記進入規制部材を該底壁から切り離す開口が形成されており、
前記底壁の外面上に前記開口を覆い隠すシート材を備えることを特徴とする、請求項４に記載の錠剤容器。
【発明の詳細な説明】
【技術分野】
【０００１】
この発明は、粒状の清涼菓子や薬等の錠剤を収容する錠剤容器に関し、特に簡単な操作で常に定量の錠剤の取り出しを可能にする錠剤容器に関する。
【背景技術】
【０００２】
この種の容器として、特許文献１には、粒状物を収納する収納凹部の側方に該収納凹部内と連通する計量凹部を連設した皿状をなすとともに、上記計量凹部の外周上端部を囲繞する枠板を開閉可能に延設してなる容器体と、上記収納凹部の上端開口を閉塞して固着した固定部より、上記計量凹部の上端開口を開閉可能に被覆し且つ下面周縁部に上記枠板を固着した開閉部を延設してなる柔軟なシート材と、上記計量凹部の内周上端部に気密且つ開閉可能に嵌合させるとともに、上記枠板の内方のシート材開閉部下面に固着させた蓋基板と、を備えてなる粒状物収納容器が提案されている。
【０００３】
このような容器によれば、容器を水平な状態から計量凹部側に傾倒させると所定量の粒状物が計量凹部内に導入され、次いで上記開閉部を開いて容器を反転させることで計量された粒状物を取り出すことができる。
【先行技術文献】
【特許文献】
【０００４】
【特許文献１】特開２００４−１８０７２６号公報
【発明の概要】
【発明が解決しようとする課題】
【０００５】
しかしながら、上記従来の容器は、容器を反転させて粒状物を取り出している最中に収納凹部内に収納された粒状物が計量凹部内に進入可能な構造であり、仮に、粒状物の取り出し中に計量凹部内に粒状物が進入した場合には、所望の数量以上の粒状物が排出されることになり、この点において改良の余地があった。
【０００６】
この発明は、上記従来技術の問題を解消し、簡単な操作で常に計量した所定量の錠剤だけを取り出すことができる錠剤容器を提供することを目的とする。
【課題を解決するための手段】
【０００７】
この発明の錠剤容器は、上記課題を解決するため、上端が開口し、錠剤を収容する収容空間と該収容空間に連通して錠剤の計量を行う計量空間とを有する容器本体と、前記容器本体にスライド可能に保持されて前記収容空間および前記計量空間の上端開口をそれぞれ閉塞する一方、開方向へのスライド時に前記計量空間の上端開口を露出させて錠剤の取り出しを可能とする上蓋と、前記収容空間内に配置され、前記上蓋の前記開方向へのスライドに伴って変形し前記収容空間から前記計量空間への錠剤の進入を規制する進入規制部材と、を備えている。
【０００８】
なお、この発明の錠剤容器にあっては、前記上蓋は、収容空間へ向けて垂下し、前記開方向へのスライドに伴って前記進入規制部材を変形させる作動ピンを有することが好ましい。
【０００９】
また、この発明の錠剤容器にあっては、前記進入規制部材は、前記作動ピンを介して前記上蓋を閉方向へ付勢する弾性体からなることが好ましい。
【００１０】
さらに、この発明の錠剤容器にあっては、前記進入規制部材は、前記容器本体と一体に成形されていることが好ましい。
【００１１】
さらに、この発明の錠剤容器にあっては、前記容器本体の底壁には、前記進入規制部材を該底壁から切り離す開口が形成されており、前記底壁の外面上に前記開口を覆い隠すシート材を備えることが好ましい。
【発明の効果】
【００１２】
この発明の錠剤容器にあっては、収容空間に錠剤が充填され、上蓋が閉じられた錠剤容器を計量空間側に傾けると、収容空間内の錠剤が計量空間に入り込み、所定の数量の錠剤が計量される。この状態から、上蓋を容器本体に対して開方向へスライドさせると、計量空間が露出すると同時に、上蓋の移動に伴って進入規制部材が変形し、収容空間から計量空間への錠剤の進入が規制される。
【００１３】
したがって、この発明の錠剤容器によれば、簡単な操作で常に、計量した所定量の錠剤だけを取り出すことができる。
【図面の簡単な説明】
【００１４】
【図１】この発明の一実施形態の錠剤容器をその使用状態で示した斜視図である。
【図２】図１の錠剤容器における容器本体を示し、（ａ）は側面図、（ｂ）は平面図、（ｃ）は正面図である。
【図３】図２の容器本体に、進入規制部材をセットした様子を示した平面図である。
【図４】図１の錠剤容器における上蓋を示し、（ａ）は側面図、（ｂ）は平面図、（ｃ）は正面図である。
【図５】図１の錠剤容器を示し、（ａ）は側面図であり、（ｂ）は図５（ａ）中のＡ−Ａ線に沿う断面図である。
【図６】上蓋を容器本体に対してスライドさせた際の進入規制部材の変形と該進入規制部材による計量空間への錠剤の進入規制の様子を説明するため、上蓋を破線にて示した図１の錠剤容器の平面図であり、（ａ）は上蓋を容器本体に対して開方向へスライドさせた状態を示し、（ｂ）は上蓋が開位置から閉位置へ自動的に戻る様子を示している。
【図７】この発明の他の実施形態の錠剤容器における容器本体を示し、（ａ）は平面図であり、（ｂ）は下面図である。
【図８】上蓋を容器本体に対してスライドさせた際の進入規制部材の変形と該進入規制部材による計量空間への錠剤の進入規制の様子を説明するため、上蓋を破線にて示した図７の錠剤容器の平面図であり、（ａ）は上蓋を容器本体に対して開方向へスライドさせた状態を示し、（ｂ）は上蓋が開位置から閉位置へ自動的に戻る様子を示している。
【発明を実施するための形態】
【００１５】
以下、この発明の実施の形態を図面を参照して説明する。
【００１６】
図１は、この発明の第１実施形態の錠剤容器１０を示す斜視図であり、この錠剤容器１０は、各々合成樹脂等からなり射出成形等により形成される、容器本体１２と、この容器本体１２に左右方向にスライド自在に被さる上蓋１４とを備えており、容器本体１２内には錠剤Ｔを収容可能である。
【００１７】
図２は容器本体１２を単体で示しており、容器本体１２は、平板状に延在する底壁１６と底壁１６の周縁から起立する周壁１８とからなり、周壁１８の上端は開口している。底壁１６は、平面視で左右方向（上蓋１４のスライド方向）に長くかつ角の丸い略長方形に形成されている。周壁１８は、前後方向に延在する一対の側壁１８ａ，１８ｂと、左右方向（幅方向）に延在して一対の側壁１８ａ，１８ｂ間をつなぐ後壁１８ｃおよび前壁１８ｄとを有している。周壁１８の高さは容器本体１２の長さおよび幅と比べて小さく形成され、錠剤容器１０は全体として偏平な直方体形状を有している。
【００１８】
容器本体１２の周壁１８の内側空間は、隔壁２０によって、錠剤Ｔの収容空間Ｖ１と、錠剤Ｔの計量空間Ｖ２と、錠剤Ｔが進入できない空所Ｖ３とに区画されている。隔壁２０の第１部分２０ａは、一方の側壁１８ａから他方の側壁１８ｂ側へ延出し、前壁１８ｄとの間に計量空間Ｖ２を区画している。隔壁２０の第２部分２０ｂは、第１部分２０ａの側壁１８ｂ側の端から後壁１８ｃへ向けて延出するとともに該後壁１８ｃに連結されて前壁１８ｄ，後壁１８ｃおよび側壁１８ｂとの間に錠剤Ｔの収容空間Ｖ１を区画している。収容空間Ｖ１と計量空間Ｖ２とは、隔壁２０の第１部分２０ａの側壁１８ｂ側の端近傍の計量空間入口Ｖ２ａを介して互いに連通し、錠剤Ｔはこの計量空間入口Ｖ２ａを通って収容空間Ｖ１から計量空間Ｖ２へ移動可能である。隔壁２０の第２部分２０ｂには、後述の進入規制部材２２が嵌め込まれる溝２４が形成されている。さらに、後壁１８ｃには、後述の進入規制部材２２の補強部２２ｃの末端を係止する係止突起２６が形成されている。
【００１９】
また、図２（ｂ）および図２（ｃ）に示すように、後壁１８ｃおよび前壁１８ｄの外面には左右方向に沿って延び、上蓋１４の上方への抜去を防止するとともに上蓋１４の左右方向のスライドをガイドするガイドリブ２８，２９が形成されている。
【００２０】
図３に示すように、錠剤容器１０は、容器本体１２および上蓋１４に加えて、上蓋１４の開方向へのスライドに伴って変形し収容空間Ｖ１から計量空間Ｖ２への錠剤Ｔの進入を規制する進入規制部材２２を備えている。
【００２１】
この実施形態の錠剤容器１０では、進入規制部材２２は、合成樹脂または金属からなる板バネ状の弾性体からなり、隔壁２０の第２部分２０ｂに形成された溝２４に嵌め込まれて支持される基端部２２ａと、基端部２２ａから前壁１８ｄ側へ延びる略Ｊ字状または左右反転した略Ｌ字状のフック部２２ｂと、フック部２２ｂの背面から後壁１８ｃへ向けて側壁１８ａ側へ凸に湾曲しながら延び、フック部２２ｂの弾性復元力を補強する補強部２２ｃとを有している。補強部２２ｃの末端は、後壁１８ｃに形成された係止突起２６に係止されている。図３に示すような、進入規制部材２２の未変形状態（後述の作動ピンによって変形させられていない状態）では、進入規制部材２２のフック部２２ｂと前壁１８ｄとの間には、錠剤Ｔを干渉することなく通過させる隙間ｄが維持されている。
【００２２】
図４は上蓋１４を単体で示しており、上蓋１４は、容器本体１２の底壁１６と概略等しい形状、大きさに形成された角の丸い略長方形の天壁３０と、天壁３０の前縁、後縁および一方の側縁のみから垂下した垂壁３２とを有している。つまり、垂壁３２は、容器本体１２の後壁１８ｃと対向する後壁部分３２ｃと、前壁１８ｄと対向する前壁部分３２ｄと、該後壁部分３２ｃおよび前壁部分３２ｄの一方の端同士を連結し容器本体１２の側壁１８ｂと対向する側壁部分３２ｂとからなり、図４（ａ）および図４（ｂ）に示すように、後壁部分３２ｃおよび前壁部分３２ｄの内面には、左右方向に沿って延び、容器本体１２の後壁１８ｃおよび前壁１８ｄに形成されたガイドリブ２８，２９と係合して上蓋１４の左右方向のスライドをガイドするガイド溝３４，３５が形成されている。
【００２３】
錠剤Ｔを取り出す際には、例えば、親指等を上蓋１４の天壁３０に押し当てながら該天壁３０を容器本体１２に対して右側（側壁１８ｂ側）へスライドさせることができる。また、垂壁３２の側壁部分３２ｂには、容器本体１２の側壁１８ｂを露出させるアーチ形状の切欠き３６が形成されており、この切欠き３６から露出する容器本体１２の側壁１８ｂを任意の指で左側（側壁１８ａ側）に押しながら任意の他の指で上蓋１４を右側へ押すことで上蓋１４を容器本体１２に対して右側へスライドさせることもできる。なお、切欠き３６の形状はアーチ形状に限らず、矩形や台形等であってもよい。
【００２４】
図４（ａ）〜図４（ｃ）に示すように、天壁３０の下面には、容器本体１２の計量空間Ｖ２へ向けて突出して、計量空間Ｖ２内に導入される錠剤Ｔが重ならないように計量空間Ｖ２の高さを減じる突出し部３８と、容器本体１２の空所Ｖ３に対応配置され、上蓋１４の閉状態にて容器本体１２の隔壁２０の第２部分２０ｂの上端に引っかかって上蓋１４の意図しない右側へのスライドを防止する突起４０と、容器本体１２の収容空間Ｖ１へ向けて垂下し、上蓋１４のスライドに伴って進入規制部材２２を変形させる作動ピン４２とが形成されている。突起４０は、上蓋１４を開けるために上蓋１４が容器本体１２に対して右側へスライドされた際に隔壁２０の第２部分２０ｂを乗り越えることができる高さ、形状に形成されている。
【００２５】
錠剤容器１０の組み立てに際しては、容器本体１２に進入規制部材２２を装着し、上蓋１４の作動ピン４２が進入規制部材２２のフック部２２ｂの内側（フック部２２ｂに対して隔壁２０側）に位置するように上蓋１４を容器本体１２に上方から被せるとともに、容器本体１２のガイドリブ２８，２９を上蓋１４のガイド溝３４，３５内に嵌め込むことにより組み立てることができる。容器本体１２、進入規制部材２２および上蓋１４を相互に組み付け、かつ上蓋１４が閉鎖された状態を図５（ｂ）に示すように、作動ピン４２は、進入規制部材２２のフック部２２ｂの内側に位置し、フック部２２ｂに近接あるいは接触している。またこの状態では、進入規制部材２２のフック部２２ｂと前壁１８ｄとの間に錠剤Ｔが通過するための隙間ｄが確保されている。また、図５（ａ）に示すように、上蓋１４の下面に形成された突出し部３８によって計量空間Ｖ２の高さが減じられ、計量空間Ｖ２内での錠剤Ｔの重なり合いが防止されている。
【００２６】
上記のように構成された錠剤容器１０を使用するに当たっては、収容空間Ｖ１に錠剤が充填され、上蓋１４が閉じられた錠剤容器１０を計量空間Ｖ２側に傾けると、図５に示すように収容空間Ｖ１内の錠剤Ｔが前壁１８ｄと進入規制部材２２との間の隙間ｄを通り計量空間Ｖ２に入り込み、所定の数量の錠剤Ｔが計量される。図示例では、計量空間Ｖ２内に３つの錠剤Ｔが収まるよう設計されているが、これに限定されず、計量空間Ｖ２の大きさを変更することで２つ以下あるいは４つ以上の錠剤Ｔが計量されるようにしてもよい。次いでこの状態から、図６（ａ）に示すように、上蓋１４を容器本体１２に対して右側へ押圧しスライドさせると、計量空間Ｖ２が露出すると同時に、上蓋１４と一緒に右側へ移動する作動ピン４２によって進入規制部材２２のフック部２２ｂが右側へ弾性撓み変形し、計量空間入口Ｖ２ａの幅を狭めるとともに計量空間Ｖ２外の錠剤Ｔを右側（側壁１８ｂ側）へ移動させる。そして、錠剤容器１０を計量空間Ｖ２側へ傾倒あるいは反転させると、計量空間Ｖ２内の錠剤Ｔが排出される一方、収容空間Ｖ１内の錠剤Ｔは進入規制部材２２によって計量空間Ｖ２への進入が規制されているので、常に計量した所定量の錠剤Ｔだけを取り出すことができる。
【００２７】
錠剤Ｔを取り出した後、上蓋１４を押えていた指を放すと、つまり上蓋１４の右側への押圧を解放すると、図６（ｂ）に示すように、弾性体からなる進入規制部材２２が元の形状に弾性復帰して作動ピン４２を原位置に戻すので、上蓋１４は自動的に閉まる。
【００２８】
したがって、この実施形態の錠剤容器１０によれば、簡単な操作で常に計量した所定量の錠剤Ｔだけを取り出すことができる。さらに、上蓋１４は弾性体からなる進入規制部材２２の付勢力によって自動的に閉じるため、上蓋１４を閉じる操作が不要となり、操作性に優れる。
【００２９】
次いで、この発明にしたがう他の実施形態の錠剤容器１０について図７および図８を参照して説明する。図７は、この発明の第２実施形態の錠剤容器１０における容器本体１２を示し、（ａ）は平面図であり、（ｂ）は底面図であり、図８は、上蓋１４を破線にて示した図７の錠剤容器１０の平面図であり、（ａ）は上蓋１４を容器本体１２に対して開方向へスライドさせた状態を示し、（ｂ）は上蓋１４が開位置から閉位置へ自動的に戻る様子を示している。
【００３０】
図７（ａ）に示すように、この実施形態の錠剤容器１０は、進入規制部材２２が容器本体１２と一体的に形成されている。具体的には、進入規制部材２２は、容器本体１２と同じ合成樹脂製であり、隔壁２０の第２部分２０ｂと一体的につながる基端部２２ａと、該基端部２２ａから前壁１８ｄ側へ延びる略Ｊ字状または左右反転した略Ｌ字状のフック部２２ｂとを有する。
【００３１】
容器本体１２の底壁１６には、進入規制部材２２を底壁１６から切り離す開口４４が形成されている。開口４４は、進入規制部材２２の、隔壁２０に支持される基端部２２ａ以外の部分を囲繞するよう形成されている。例えば、容器本体１２と進入規制部材２２を射出成形により一体的に成形する場合、開口４４を形成して進入規制部材２２を底壁１６から切り離すようにすることで、成形金型の構造が比較的簡易となるとともに型抜きも容易に行うことができる。図７（ｂ）に示すように、底壁１６の外面（下面）には、開口４４を覆い隠すタックラベル等のシート材４６が貼付されている。シート材４６の表面には商品に関する情報やイラスト等を印刷しておくことができる。第２実施形態の錠剤容器１０のその他の構成は、第１実施形態の錠剤容器１０と同じであり、詳細な説明は省略する。
【００３２】
第２実施形態の錠剤容器１０の動作を図８に示すように、収容空間Ｖ１に錠剤Ｔが充填され、上蓋１４が閉じられた錠剤容器１０を計量空間Ｖ２側に傾けると、収容空間Ｖ１内の錠剤Ｔが前壁１８ｄと進入規制部材２２との間の隙間ｄ（図７参照）を通り計量空間Ｖ２に入り込み、所定の数量の錠剤Ｔが計量される。図示例では、計量空間Ｖ２内に３つの錠剤が収まるよう設計されているが、これに限定されず、計量空間Ｖ２の大きさを変更することで２つ以下あるいは４つ以上の錠剤Ｔが計量されるようにしてもよい。次いでこの状態から、図８（ａ）に示すように、上蓋１４を容器本体１２に対して右側（側壁１８ｂ側）へ押圧しスライドさせると、計量空間Ｖ２が露出すると同時に、上蓋１４と一緒に右側へ移動する作動ピン４２によって進入規制部材２２のフック部２２ｂが右側へ弾性撓み変形し、計量空間入口Ｖ２ａの幅を狭めるとともに計量空間Ｖ２外の錠剤Ｔを後方へ移動させる。そして、錠剤容器１０を計量空間Ｖ２側へ傾倒あるいは反転させると、計量空間Ｖ２内の錠剤Ｔが排出される一方、収容空間Ｖ１内の錠剤Ｔは進入規制部材２２によって計量空間Ｖ２へ進入が規制されているので、常に計量した所定量の錠剤だけを取り出すことができる。
【００３３】
錠剤Ｔを取り出した後、上蓋１４を押えていた指を放すと、つまり上蓋１４の右側への押圧を解放すると、図８（ｂ）に示すように、弾性体からなる進入規制部材２２が元の形状に弾性復帰して作動ピン４２を原位置に戻すので、上蓋１４は自動的に閉まる。
【００３４】
したがって、この実施形態の錠剤容器１０によれば、簡単な操作で常に計量した所定量の錠剤Ｔだけを取り出すことができる。さらに、上蓋１４は弾性体からなる進入規制部材２２の付勢力によって自動的に閉じるため、上蓋１４を閉じる操作が不要であり、操作性に優れる。
【００３５】
さらに、この実施形態の錠剤容器１０によれば、進入規制部材２２が容器本体１２と一体であるので、部品点数を削減することができるとともに、射出成形等により容器本体１２と同時に成形することができるので、容易かつ安価に製造することができる。
【００３６】
以上、この発明を図面に基づき説明したが、この発明は図示例のものに限定されない。例えば、図示例では、容器本体１２の後壁１８ｃおよび前壁１８ｄにガイドリブ２８，２９を設けるとともに、上蓋１４の後壁部分３２ｃおよび前壁部分３２ｄにガイド溝３４，３５を設けて上蓋１４のスライドを案内するようにしたが、容器本体１２の後壁１８ｃおよび前壁１８ｄに同様のガイド溝（図示省略）を設けるとともに、上蓋１４の後壁部分３２ｃおよび前壁部分３２ｄに同様のガイドリブ（図示省略）を設けるようにしてもよい。また、図示例では、進入規制部材２２が弾性体からなると説明したが、進入規制部材２２は自力で元の形状に戻れない単なる板片とし、この板片を上蓋１４から垂下した２つの作動ピンで挟み込んで上蓋１４の開閉に連動してフラップのように揺動させることで、錠剤Ｔの計量空間Ｖ２への進入規制とその解除を行うようにしてもよい（図示省略）。
【産業上の利用可能性】
【００３７】
この発明によれば、簡単な操作で常に計量した所定量の錠剤だけを取り出すことができる錠剤容器を提供することができる。
【符号の説明】
【００３８】
１０  錠剤容器
１２  容器本体
１４  上蓋
１６  底壁
１８  周壁
２０  隔壁
２２  進入規制部材
２４  溝
２６  係止突起
２８，２９  ガイドリブ
３０  天壁
３２  垂壁
３４，３５  ガイド溝
３６  切欠き
３８  突出し部
４０  突起
４２  作動ピン
４４  開口
４６  シート材
【図１】
2019011114.tif 000003
【図２】
2019011114.tif 000004
【図３】
2019011114.tif 000005
【図４】
2019011114.tif 000006
【図５】
2019011114.tif 000007
【図６】
2019011114.tif 000008
【図７】
2019011114.tif 000009
【図８】
2019011114.tif 000010